(57)【要約】【課題】デジタル放送の様々な伝送方式に対して、デジタル放送受信機を柔軟に対応させる。【解決手段】チューナーモジュール装置２１０に不揮発性メモリ２１２を搭載して、チューナーモジュール装置２１０用の処理ソフトウエアを格納する。デジタル放送受信機２０１にチューナーモジュール装置２１０が装着されると、デジタル放送受信機２０１は、チューナーモジュール装置２１０の不揮発性メモリ２１２から該当する処理ソフトウエアをロードして実行する。チューナーモジュール装置２１０が取り外された際に、変更された処理ソフトウエアをデジタル放送受信機２０１の不揮発性メモリ２０３に残すか否かを設定可能とする。【選択図】      図３
2004248052.tif 000002
【特許請求の範囲】
【請求項１】
内部に不揮発性メモリを有するチューナーモジュール装置を接続するためのチューナーモジュール装置接続手段と、
前記チューナーモジュール装置が接続されているか否か判定するための接続判定手段と、
前記接続判定手段により前記チューナーモジュール装置が接続されていると判定された場合に、処理ソフトウエアを変更するか否かを判定するためのソフトウエア変更判定手段と、
前記ソフトウエア変更判定手段により処理ソフトウエアの変更が必要であると判定された場合に、処理ソフトウエアの変更を行うためのソフトウエア変更手段とを備えたことを特徴とするデジタル放送受信機。
【請求項２】
前記ソフトウエア変更手段は、チューナーモジュール装置用処理ソフトウエアの変更を行うことを特徴とする請求項１記載のデジタル放送受信機。
【請求項３】
前記チューナーモジュール装置内の不揮発性メモリは、当該チューナーモジュール装置が接続されたデジタル放送受信機における処理ソフトウエア変更が必要か否かを判定するための変更判定情報を有し、
前記ソフトウエア変更判定手段は、前記変更判定情報に基づいて、電源オンもしくはチューナーモジュール装置装着時に処理ソフトウエアの変更を行うか否かを判定することを特徴とする請求項１または２記載のデジタル放送受信機。
【請求項４】
前記チューナーモジュール装置内の不揮発性メモリは、当該チューナーモジュール装置が接続されたデジタル放送受信機における処理ソフトウエア変更を恒久的に変更するか一時的に変更するかを判定するための変更態様判定情報を有し、
前記ソフトウエア変更判定手段は、前記変更判定情報および前記変更態様判定情報に基づいて、電源オンもしくはチューナーモジュール装置装着時に処理ソフトウエアを変更するか否か、および処理ソフトウエアの変更を行う場合の変更態様を判定することを特徴とする請求項３記載のデジタル放送受信機。
【請求項５】
前記チューナーモジュール装置内の不揮発性メモリは、当該チューナーモジュール装置が接続されたデジタル放送受信機における処理ソフトウエア変更処理動作情報を有し、
前記ソフトウエア変更判定手段は、電源オン時にチューナーモジュール装置が装着されていなかった場合に、前記変更判定情報および前記ソフトウエア変更処理動作情報に基づいて、現在の処理ソフトウエアを変更前の処理ソフトウエアに復帰させるか否かを判定することを特徴とする請求項３記載のデジタル放送受信機。
【請求項６】
デジタル放送受信機用処理ソフトウエアが記憶された不揮発性メモリを備えたことを特徴とするチューナーモジュール装置。
【請求項７】
デジタル放送受信機用処理ソフトウエアで必要となる追加用ＲＡＭを備えたことを特徴とする請求項６記載のチューナーモジュール装置。
【請求項８】
接続部を介してデジタル放送受信機と信号通信を行う場合に、該信号通信を制御するための制御部を備えたことを特徴とする請求項７記載のチューナーモジュール装置。
【請求項９】
当該チューナーモジュール装置が接続されたデジタル放送受信機におけるデジタル放送受信機用処理ソフトウエアの変更が必要か否かを判定するための変更判定情報、およびデジタル放送受信機用処理ソフトウエアが記憶された不揮発性メモリを備えたことを特徴とするチューナーモジュール装置。
【発明の詳細な説明】
【０００１】
【発明の属する技術分野】
本発明は、デジタル放送受信機、およびデジタル放送受信機に接続して使用するチューナーモジュール装置に関する。
【０００２】
【従来の技術】
従来、デジタル放送受信機において処理ソフトウエアを変更する方法として、放送波からバージョンアップ用のデータをダウンロードする方法と、メモリカードを装着して該メモリカードに記憶されたバージョンアップ用のデータをダウンロードする方法があった。
【０００３】
従来、このような処理ソフトウエア変更に関する技術として、チューナーをモジュール化したテレビ受信機（例えば、特許文献１参照）、パーソナルコンピューターなどに接続するためのカード型チューナーモジュール装置（例えば、特許文献２参照）、接続にＩＥＥＥ１３９４を用い、様々な機能をモジュール化したＡＶシステム（例えば、特許文献３参照）等が提案されている。
【０００４】
なお、上記したいずれの技術においても、チューナーモジュール装置自身に対する処理ソフトウエアをチューナーモジュール装置からダウンロードする仕組みは提案されていない。
【０００５】
また、パーソナルコンピューター、ゲーム機のＣＤ−ＲＯＭなどの記録メディアでは、記録メディアを機器にセットした際に自動的に処理ソフトウエアをダウンロードする仕組みが提供されている。しかしながら、記録メディア自身を扱うための処理ソフトウエアは、予め機器本体に記録されている。
【０００６】
図１０〜図１４を参照して、チューナーモジュール装置とメモリカードを用いて処理ソフトウエアを変更する従来の方法を説明する。
【０００７】
図１０〜図１２は従来のデジタル放送受信機を示すもので、図１０はデジタル放送受信機の斜視図、図１１はデジタル放送受信機の正面図、図１２はデジタル放送受信機の右側面図である。また、図１３は従来のデジタル放送受信機の内部構成を示すブロック図であり、図１４は従来のデジタル放送受信機における処理ソフトウエアの更新処理の手順を示すフローチャートである。
【０００８】
従来のデジタル放送受信機により処理ソフトウエアを変更するには、図１０〜図１２に示すように、デジタル放送受信機４０１に対して、チューナーモジュール装置４０２およびソフトウエア変更用のメモリカード４０３を挿入する。
【０００９】
また、従来のデジタル放送受信機４０１は、図１３に示すように、チューナーモジュール装置５１０とメモリカード５２０が、それぞれ接続部５１１，５０６、５２１，５０７により受信機本体５０１に接続されており、各構成部分は制御部５０２の制御下に置かれている。なお、図１３において、５０５はチューナー、５０３は不揮発性メモリ、５０４はＲＡＭを示す。
【００１０】
次に、図１４を参照して、従来の処理ソフトウエアの更新処理を説明する。
【００１１】
従来のデジタル放送受信機では、図１４に示すように、パワーオンまたはリセット（Ｓ６１０）の後、処理ソフトウエアをＲＡＭにダウンロードして実行する（Ｓ６１１）。
【００１２】
ここで、チューナーモジュール装置の有無を判定し（Ｓ６１２）、チューナーモジュール装置が存在する場合に、現在の処理ソフトウエアが対応しているか否かを調べ（Ｓ６１４）、現在の処理ソフトウエアが対応していない場合にはチューナーモジュール装置は使用不可と判断される（Ｓ６１５）。そして、バージョンアップが必要である旨をユーザーに伝え（Ｓ６１６）、後の操作をユーザーに任せる。
なお、チューナーモジュール装置が接続されていない場合、および処理ソフトウエアが対応済みの場合には、番組の視聴を行うことができる（Ｓ６１３）。
【００１３】
【特許文献１】
特開平６−１３３２４５号公報
【特許文献２】
特開平８−２３７１５４号公報
【特許文献３】
特開２００２−２７３４８号公報
【００１４】
【発明が解決しようとする課題】
ところで、デジタル放送の様々な伝送方式に対して、デジタル放送受信機を柔軟に対応させるためには、チューナーモジュール装置を外付けにする方法が有効である。
従来のアナログ放送受信機では、放送方式は違っていてもその後の処理はほぼ共通であったため、上記特許文献１に示された交換可能なチューナーモジュール装置を用いる技術のように、モジュールの判別程度でソフトウエア変更の必要がないか、あるいはすべての方式を網羅した処理ソフトウエアを受信機本体に格納していれば、何ら問題は無かった。
【００１５】
しかしながら、デジタル放送では、伝送方式に相違があるだけではなく、規格によっては処理方式にも相違があるため、それぞれのチューナーモジュール装置毎の処理ソフトウエアも相違する。
【００１６】
このとき、従来の技術のように、全てのチューナーモジュール装置および伝送方式を網羅した処理ソフトウエアを受信機本体に格納しておく方式では、処理ソフトウエアのサイズが大きくなってしまう。このため、処理内容が複雑になるとともに、起動が遅くなるという問題があった。また、従来のパーソナルコンピューターなどのように、実行はしなくとも記憶領域に処理ソフトウエアを用意しておく方式では、多くの記憶領域が必要になる。そして、どちらの方式においても、将来、新方式の放送規格が採用された場合には、そのままの態様では対応できないという問題があった。
【００１７】
このため、チューナーモジュール装置の追加・変更・削除に伴ってデジタル放送受信機の処理ソフトウエアを変更して実行するような仕組みが必要となる。特に、チューナーモジュール装置を取り外した際には、チューナーモジュール装置用処理ソフトウエアの権利を保護するとともに、デジタル放送受信機用処理ソフトウエアのバージョンを管理するため、チューナーモジュール装置を装着する前の状態に戻す必要がある。すなわち恒久的な処理ソフトウエア変更ではなく、チューナーモジュール装置が装着されている間だけの一時的な処理ソフトウエア変更の仕組みが必要である。
【００１８】
この点、ダウンロードにより処理ソフトウエアを変更する方法や、メモリカードを装着することにより受信機本体の処理ソフトウエアを変更する方法では、処理ソフトウエアを変更前の状態に戻すことや、権利保護などが想定されていない。すなわち、従来のように恒久的に処理ソフトウエアを変更するための手段では、チューナーモジュール装置の装着状態に応じて柔軟な処理ソフトウエアの変更を行うことはできない。
【００１９】
また、デジタル放送受信機のコスト削減などのために、チューナーモジュール装置の接続インターフェースをメモリカードと共用化した場合には、上記特許文献２に記載された技術のように、チューナーモジュール装置をカード型とすることが必要となると考えられる。
【００２０】
従来、増設したチューナーモジュール装置のための処理ソフトウエアを変更するためには、チューナーモジュール装置と処理ソフトウエア変更用のメモリカードが同時に必要となるが、図１０〜図１３に示すデジタル放送受信機のようにメモリカードスロットを２つ用意するのでは、デジタル放送受信機の製造コストを削減することはできない。また、１つのスロットをチューナーモジュール装置とメモリカードにより共用する場合には、図１４に示すように、処理ソフトウエアの変更がユーザー任せとなり、簡易さや確実さに欠けることとなる。
【００２１】
また、従来の技術では、一時的な処理ソフトウエア変更の仕組みも実現できない。
【００２２】
また、チューナーモジュール装置用の処理ソフトウエアのバージョンアップを行う際に、放送波から新たな処理ソフトウエアをダウンロードする方法や、メモリカードを用いて受信機本体内のソフトウエアを恒久的に変更する方法では、チューナーモジュール装置を他のデジタル放送受信機に装着した場合にまでは対応できない。
【００２３】
また、チューナーモジュール装置を接続して、新たなデジタル放送に対応した場合に、例えば番組表データのような新規の放送データを扱おうとすると、受信機本体に搭載されているＲＡＭだけでは記憶容量が不足するおそれがある。
【００２４】
さらに、上記特許文献３に記載された技術のように、拡張したモジュールとのコマンド通信方式のみを規定しておき、受信機本体側のソフトウエア変更を必要としない方式があるが、このような汎用な仕組みでは、ハードウエア、ソフトウエア共に規模が大きくなり、デジタル放送受信機の高速な起動やコスト削減といった要求に応えることができないという問題があった。
【００２５】
本発明は、上述した事情に鑑み提案されたもので、デジタル放送の様々な伝送方式に対して柔軟に対応させることが可能なデジタル放送受信機およびチューナーモジュール装置を提供することを目的とする。
【００２６】
【課題を解決するための手段】
本発明に係るデジタル放送受信機は、内部に不揮発性メモリを有するチューナーモジュール装置を接続するためのチューナーモジュール装置接続手段と、前記チューナーモジュール装置が接続されているか否か判定するための接続判定手段と、前記接続判定手段により前記チューナーモジュール装置が接続されていると判定された場合に、処理ソフトウエアを変更するか否かを判定するためのソフトウエア変更判定手段と、前記ソフトウエア変更判定手段により処理ソフトウエアの変更が必要であると判定された場合に、処理ソフトウエアの変更を行うためのソフトウエア変更手段とを備えたことを特徴とするものである。
【００２７】
また、前記デジタル放送受信機において、前記ソフトウエア変更手段は、チューナーモジュール装置用処理ソフトウエアの変更を行うことを特徴とするものである。
【００２８】
また、前記デジタル放送受信機において、前記チューナーモジュール装置内の不揮発性メモリは、当該チューナーモジュール装置が接続されたデジタル放送受信機における処理ソフトウエア変更が必要か否かを判定するための変更判定情報を有し、前記ソフトウエア変更判定手段は、前記変更判定情報に基づいて、電源オンもしくはチューナーモジュール装置装着時に処理ソフトウエアの変更を行うか否かを判定することを特徴とするものである。
【００２９】
また、前記デジタル放送受信機において、前記チューナーモジュール装置内の不揮発性メモリは、当該チューナーモジュール装置が接続されたデジタル放送受信機における処理ソフトウエア変更を恒久的に変更するか一時的に変更するかを判定するための変更態様判定情報を有し、前記ソフトウエア変更判定手段は、前記変更判定情報および前記変更態様判定情報に基づいて、電源オンもしくはチューナーモジュール装置装着時に処理ソフトウエアを変更するか否か、および処理ソフトウエアの変更を行う場合の変更態様を判定することを特徴とするものである。
【００３０】
また、前記デジタル放送受信機において、前記チューナーモジュール装置内の不揮発性メモリは、当該チューナーモジュール装置が接続されたデジタル放送受信機における処理ソフトウエア変更処理動作情報を有し、前記ソフトウエア変更判定手段は、電源オン時にチューナーモジュール装置が装着されていなかった場合に、前記変更判定情報および前記ソフトウエア変更処理動作情報に基づいて、現在の処理ソフトウエアを変更前の処理ソフトウエアに復帰させるか否かを判定することを特徴とするものである。
【００３１】
本発明に係るチューナーモジュール装置は、デジタル放送受信機用処理ソフトウエアが記憶された不揮発性メモリを備えたことを特徴とするものである。
【００３２】
また、前記チューナーモジュール装置において、デジタル放送受信機用処理ソフトウエアで必要となる追加用ＲＡＭを備えることを特徴とするものである。
【００３３】
また、前記チューナーモジュール装置において、接続部を介してデジタル放送受信機と信号通信を行う場合に、該信号通信を制御するための制御部を備えることを特徴とするものである。
【００３４】
また、前記チューナーモジュール装置において、当該チューナーモジュール装置が接続されたデジタル放送受信機におけるデジタル放送受信機用処理ソフトウエアの変更が必要か否かを判定するための変更判定情報、およびデジタル放送受信機用処理ソフトウエアが記憶された不揮発性メモリを備えることを特徴とするものである。
【００３５】
次に、上述した特徴点を有する本発明に係るデジタル放送受信機およびチューナーモジュール装置を具体的に説明する。
【００３６】
本発明に係るデジタル放送受信機では、チューナーモジュール装置に不揮発性メモリを搭載し、この不揮発性メモリにチューナーモジュール装置用の処理ソフトウエアを格納しておく。なお、複数の機種に対応する場合には、不揮発性メモリに複数の処理ソフトウエアを格納しておけばよい。
【００３７】
デジタル放送受信機に対してチューナーモジュール装置が装着されている場合に、デジタル放送受信機は、チューナーモジュール装置の不揮発性メモリから当該デジタル放送受信機に適合した処理ソフトウエアをダウンロードして実行する。
【００３８】
この際、チューナーモジュール装置に搭載した処理ソフトウエアが、ソフトウエア変更のためのメモリカードと同様に、デジタル放送受信機の恒久的な処理ソフトウエア変更として扱われるのか、あるいはデジタル放送受信機のＲＡＭのみにダウンロードされて実行される一時的なソフトウエア変更として扱われるのかが区別される。このような区別を行うためには、チューナーモジュール装置の不揮発性メモリに両者を区別するための制御フラグを設定しておけばよい。デジタル放送受信機の処理プログラムは、当該制御フラグに応じて、デジタル放送受信機の不揮発性メモリに格納された処理ソフトウエアを上書きするか、一時記憶領域であるＲＡＭにロードするかを決定する。
【００３９】
また、チューナーモジュール装置用の処理ソフトウエアのバージョンアップでは、放送波から処理ソフトウエアをダウンロードする際に、該当するチューナーモジュール装置が判別可能となるようなフラグを付したデータ構造としておき、デジタル放送受信機の不揮発性メモリに記憶された処理ソフトウエアを上書きするのではなく、チューナーモジュール装置の不揮発性メモリを上書きする。
【００４０】
この際、恒久的なソフトウエア変更か否かの制御フラグも参照し、デジタル放送受信機の不揮発性メモリを上書きすることもある。
【００４１】
チューナーモジュール装置を接続することにより、扱うべきデータが増え、デジタル放送受信機のＲＡＭではワークメモリが不足する場合には、チューナーモジュール装置に追加のＲＡＭを搭載し、追加のＲＡＭも用いるようにした更新用の処理ソフトウエアを不揮発性メモリに用意しておけばよい。
【００４２】
チューナーモジュール装置の接続の仕方により、通信制御が複雑になる等の場合には、チューナーモジュール装置にも制御部を搭載し、デジタル放送受信機の制御部とチューナーモジュール装置の制御部との間で通信を行い、これにより複雑な通信制御を行うことができる。この際の複雑な通信制御の追加も含めて、デジタル放送受信機の制御部を更新するための処理ソフトウエアをチューナーモジュール装置に用意すればよい。
【００４３】
したがって、基本的な通信制御部分を除いて、チューナーモジュール装置を接続する際に初めて必要となる複雑な通信制御部分は、その時々に応じて開発すればよいため、デジタル放送受信機のソフトウエアを開発する際の初期開発コストを抑制することができる。
【００４４】
【発明の実施の形態】
以下、図面を参照して、本発明に係るデジタル放送受信機およびチューナーモジュール装置の一実施形態を説明する。
【００４５】
図１〜図５は本発明の実施形態に係るデジタル放送受信機およびチューナーモジュール装置を示すもので、図１はチューナーモジュール装置を装着するためのスロットを有するデジタル放送受信機の斜視図、図２はチューナーモジュール装置を接続するための接続端子を備えたデジタル放送受信機の斜視図、図３はデジタル放送受信機およびチューナーモジュール装置の内部構成を示すブロック図、図４は作業用メモリ内蔵型のチューナーモジュール装置の内部構成を示すブロック図、図５は制御部内蔵型のチューナーモジュール装置の内部構成を示すブロック図である。
本発明に係るデジタル放送受信機１０１は、チューナーモジュール装置を装着して使用することができるようになっている。
【００４６】
＜デジタル放送受信機の概略構成＞
図１に示すデジタル放送受信機１０１は、ソフトウエア変更サービスに用いるためのメモリカードスロット１０４を備えている。このメモリカードスロット１０４をチューナーモジュール装置１０２の増設インターフェースとして使用することにより、デジタル放送受信機１０１のコストアップを抑えることができる。このため、ユーザーは、デジタル放送受信機１０１を丸ごと買い換える場合と比較して、安価に新規の放送方式へ対応することができる。
また、図２に示すデジタル放送受信機１０１は、外部とのデータ入出力用の外部信号入出力端子１０５を備えている。この外部信号入出力端子１０５をチューナーモジュール装置１０３の増設インターフェースとして使用することにより、デジタル放送受信機１０１のコストアップを抑えることができる。チューナーモジュール装置１０３はチューナーモジュール装置１０２を内部に装着できる接続端子でもよい。
【００４７】
＜デジタル放送受信機およびチューナーモジュール装置の内部構成＞
次に、デジタル放送受信機およびチューナーモジュール装置の内部構成について説明する。
【００４８】
図３に示す例は、デジタル放送受信機２０１に対してチューナーモジュール装置２１０を装着した状態を示すものであるが、このデジタル放送受信機２０１は、通常の状態ではチューナーモジュール装置２１０が装着されずに単独で動作するようになっている。
【００４９】
デジタル放送受信機２０１の不揮発性メモリ２０３には、受信機用処理ソフトウエアが記憶されており、デジタル放送受信機２０１が起動された際に、ＲＡＭ２０４に対して処理ソフトウエアをダウンロードし、制御部２０２において当該処理ソフトウエアを実行する。
【００５０】
また、通常の状態では、チューナー２０５でデジタル放送を受信し、デコーダー２０７により映像・音声などを復号し、出力端子２０８に出力する。
増設されたチューナーモジュール装置２１０の内部には、チューナー２１３、および処理ソフトウエア格納用の不揮発性メモリ２１２が設けられている。そして、接続部２１１，２０６を介してデジタル放送受信機２０１に接続され、各構成部分が制御部２０２の制御下に置かれる。
【００５１】
＜作業用メモリ内蔵型のチューナーモジュール装置の内部構成＞
追加するチューナーモジュール装置の動作用に、デジタル放送受信機側では考慮されていなかったようなＲＡＭの増加が必要な場合には、チューナーモジュール装置内に増設用のＲＡＭも装備し、更新用の処理ソフトウエアにより当該増設用ＲＡＭも使用可能とする。
【００５２】
すなわち、図４に示すように、チューナーモジュール装置２２０の内部には、チューナー２２４、処理ソフトウエア格納用の不揮発性メモリ２２２、および処理ソフトウエア実行に必要な増設ＲＡＭ２２３が設けられている。そして、接続部２２１および接続部２０６（図３参照）を介してデジタル放送受信機２０１に接続され、各構成部分が制御部２０２の制御下に置かれる。
【００５３】
＜制御部内蔵型のチューナーモジュール装置の内部構成＞
チューナーモジュール装置がデジタル放送受信機に対して外部設置式の場合に、接続インターフェースにおける複雑な通信制御が必要になる場合がある。この場合には、チューナーモジュール装置に対して制御部を装備することにより、複雑な通信制御に対応することができる。
【００５４】
すなわち、図５に示すように、チューナーモジュール装置２３０の内部には、チューナー２３５、処理ソフトウエア格納用の不揮発性メモリ２３３、処理ソフトウエア実行に必要な増設ＲＡＭ２３４、および制御部２３２が設けられている。そして、接続部２３１および接続部２０６（図３参照）を介してデジタル放送受信機２０１に接続され、制御部２０２（図３参照）と制御部２３２との間で通信を行うことにより、チューナーモジュール装置２３０が制御される。
【００５５】
なお、制御部２３２のための処理ソフトウエアも不揮発性メモリ２３３に格納されており、制御部２３２が動作するためのワークメモリはＲＡＭ２３４を使用する。
【００５６】
＜処理手順＞
次に、本発明の実施形態に係るデジタル放送受信機およびチューナーモジュール装置における処理手順を説明する。図６〜図９は、本発明の実施形態に係るデジタル放送受信機およびチューナーモジュール装置における処理手順を示すフローチャートで、図６はデジタル放送受信機におけるパワーオンまたはリセット時の処理手順を示すフローチャート、図７はデジタル放送受信機に対してチューナーモジュール装置を装着した際の処理手順を示すフローチャート、図８はデジタル放送受信機からチューナーモジュール装置を取り外した際の処理手順を示すフローチャート、図９はバージョンアップソフトウエアの放送スケジュールを受信した場合の処理手順を示すフローチャートである。
【００５７】
＜デジタル放送受信機におけるパワーオンまたはリセット時の処理＞
図６に示すように、本発明の実施形態に係るデジタル放送受信機２０１において、パワーオンまたはリセットされると（Ｓ３１０）、チューナーモジュール装置２１０が装着されているか否かを判定する（Ｓ３１１）。ここで、チューナーモジュール装置２１０が装着されていない場合には、通常の処理として、デジタル放送受信機２０１の不揮発性メモリ２０３の処理ソフトウエアをＲＡＭ２０４にロードして実行し（Ｓ３１２）、視聴状態となる（Ｓ３１３）。
一方、チューナーモジュール装置２１０が装着されている場合には、ソフトウエア変更の必要を判定（Ｓ３１４）する。
【００５８】
判定に必要なデータは、デジタル放送受信機２０１の不揮発性メモリ２０３に、処理ソフトウエアを特定するための管理情報として、メーカー番号、機種番号、デジタル放送受信機２０１に格納されている処理ソフトウエアのバージョンなどを記載しておくとともに、チューナーモジュール装置２１０の不揮発性メモリ２１２に、格納している処理ソフトウエアの管理情報として、メーカー番号、機種番号、バージョン番号などを格納しておく。そして、デジタル放送受信機２０１の制御部２０２において、両処理ソフトウエアを比較して判断する。
【００５９】
ここで、デジタル放送受信機２０１において、既にチューナーモジュール装置２１０に対応済みの処理ソフトウエアが存在する場合には、ソフトウエア変更の必要は無いと判断し、デジタル放送受信機２０１の不揮発性メモリ２０３の処理ソフトウエアをＲＡＭ２０４にダウンロードして実行し（Ｓ３１２）、視聴状態となる（Ｓ３１３）。
【００６０】
一方、ソフトウエア変更が必要である場合には、一時的なソフトウエア変更か、あるいは恒久的なソフトウエア変更かを判定する（Ｓ３１５）。判定に必要なデータは、チューナーモジュール装置２１０の不揮発性メモリ２１２に格納しておき、制御部２０２において判断する。
【００６１】
ここで、恒久的なソフトウエア変更であれば、チューナーモジュール装置２１０の不揮発性メモリ２１２に格納されている処理ソフトウエアと管理情報を、デジタル放送受信機２０１の不揮発性メモリ２０３に書き込む（Ｓ３１６）。そして、デジタル放送受信機２０１をリセットして通常の起動シーケンスのステップＳ３１０へ移行するか（Ｓ３１７）、あるいは書き込んだ処理ソフトウエアをＲＡＭ２０４にロードして実行し（Ｓ３１２）、視聴状態となる（Ｓ３１３）。
【００６２】
また、一時的なソフトウエア変更であれば、デジタル放送受信機２０１の不揮発性メモリ２０３はそのままで、チューナーモジュール装置２１０の不揮発性メモリ２１２に格納されている処理ソフトウエアをＲＡＭ２０４にロードして実行し（Ｓ３１８）、視聴状態となる（Ｓ３１３）。
【００６３】
一時的なソフトウエア変更は、チューナーモジュール装置２１０が装着されていないとその処理ソフトウエアが実行されない。すなわち、処理ソフトウエアの実行にはチューナーモジュール装置２１０が物理的な鍵として作用するため、デジタル放送受信機２０１の処理ソフトウエアの権利保護として利用することができる。
【００６４】
また、デジタル放送受信機２０１に格納された処理ソフトウエアのバージョン等が、チューナーモジュール装置２１０が装着されたか否か、あるいは装着されたチューナーモジュール装置２１０の種類により物理的に判別することができるので、サービスマンによる対応時に混乱を招くことなく処理ソフトウエアを管理することができる。
【００６５】
＜デジタル放送受信機にチューナーモジュール装置を装着した際の処理＞
図７に示すように、デジタル放送受信機２０１が稼動中にチューナーモジュール装置２１０を装着した場合には、チューナーモジュール装置２１０を装着（スロットに挿入）した後（Ｓ３２０）、ソフトウエア変更の必要を判定する（Ｓ３２１）。判定方法等は、上述したステップＳ３１４と同様である。
【００６６】
ここで、デジタル放送受信機２０１において、既にチューナーモジュール装置２１０に対応済みの処理ソフトウエアが存在する場合には、ソフトウエア変更の必要は無いと判断し、何もせずにそのまま視聴を続行する（Ｓ３２２）。
【００６７】
一方、ソフトウエア変更が必要である場合には、デジタル放送受信機２０１をリセットして通常の起動シーケンスのステップＳ３１０へ移行するか（Ｓ３２４）、あるいは上述したステップＳ３１５へ移行する（Ｓ３２３）。
【００６８】
＜デジタル放送受信機からチューナーモジュール装置を取り外した際の処理＞図８に示すように、デジタル放送受信機２０１が稼動中にチューナーモジュール装置２１０を取り外した場合には、チューナーモジュール装置２１０を取り外した後（Ｓ３３０）、ソフトウエアが変更されていたか否かを判定する（Ｓ３３１）。
【００６９】
ここで判定に必要なデータは、現在ＲＡＭ２０４にロードされて実行されている処理ソフトウエアが、デジタル放送受信機２０１の不揮発性メモリ２０３からロードされたのか、あるいはチューナーモジュール装置２１０の不揮発性メモリ２１２からロードされたのかを区別するためのフラグを、処理ソフトウエアをロードする際にＲＡＭ２０４に格納しておき、制御部２０２において判断する。
【００７０】
取り外されたチューナーモジュール装置２１０によるソフトウエア変更が無いか、あるいは恒久的なソフトウエア変更の場合には、チューナーモジュール装置２１０を装着する前の処理ソフトウエアに戻す必要はないと判断し、何もせずにそのまま視聴を続行する（Ｓ３３２）。
【００７１】
一方、取り外されたチューナーモジュール装置２１０によって一時的なソフトウエア変更がなされていた場合には、チューナーモジュール装置２１０を装着する前の処理ソフトウエアに戻すために、デジタル放送受信機２０１をリセットして通常の起動シーケンスのステップＳ３１０へ移行するか（Ｓ３３４）、あるいは上述したステップＳ３１２へ移行する（Ｓ３３３）。
【００７２】
＜バージョンアップソフトウエアの放送スケジュールを受信した場合の処理＞チューナーモジュール装置２１０の不揮発性メモリ２１２に存在する処理ソフトウエアをバージョンアップする場合には、チューナーモジュール装置２１０を専用の治具に装着して不揮発性メモリ２１２を直接書き換える他に、デジタル放送受信機２０１にチューナーモジュール装置２１０を装着したまま、放送波のダウンロードによるバージョンアップを利用することもできる。
【００７３】
この場合、放送されるダウンロードデータの放送スケジュールに対して、対象となる機器を判別するための管理情報として、メーカー番号、機種番号、グループ番号、処理ソフトウエアのバージョンなどを記録しておき、放送スケジュールの受信時に、装着されたチューナーモジュール装置２１０に対応しているか否かを判別する。
【００７４】
すなわち、図９に示すように、チューナーモジュール装置２１０のバージョンアップソフトウエアの放送スケジュールを受信した後（Ｓ３４０）、バージョンアップの対象となるチューナーモジュール装置２１０が装着されているか否かを判定し（Ｓ３４１）、該当するチューナーモジュール装置２１０が装着されていない場合には何もしない（Ｓ３４２）。
【００７５】
一方、バージョンアップの対象となるチューナーモジュール装置２１０が装着されている場合には、チューナーモジュール装置２１０の不揮発性メモリ２１２に格納された処理ソフトウエアの変更の必要を判定する（Ｓ３４３）。
【００７６】
ここで判定に必要なデータは、チューナーモジュール装置２１０の不揮発性メモリ２１２に、チューナーモジュール装置の管理情報として、メーカー番号、機種番号、処理ソフトウエアのバージョンを記録しておき、制御部２０２において、受信したバージョンアップソフトウエアの管理情報と比較して判断する。そして、管理情報の比較によりバージョンアップの必要がないと判断された場合には、何もしない（Ｓ３４２）。
【００７７】
一方、バージョンアップの必要がある場合には、バージョンアップソフトウエアを受信し（Ｓ３４４）、受信したバージョンアップソフトウエアを管理情報とともに、チューナーモジュール装置２１０の不揮発性メモリ２１２に書き込み（Ｓ３４５）、デジタル放送受信機２０１をリセットして通常の起動シーケンスのステップＳ３１０へ移行するか（Ｓ３４７）、あるいは上述したステップＳ３１２へ移行する（Ｓ３４６）。
【００７８】
このように、チューナーモジュール装置２１０に対応する処理ソフトウエアを、チューナーモジュール装置２１０に保存することにより、同一ユーザーが別の機器にチューナーモジュール装置２１０を接続した場合であっても、最新の処理ソフトウエアを実行することができる。また、処理ソフトウエアの権利保護にも役立つ。
【００７９】
【発明の効果】
本発明に係るデジタル放送受信機によれば、ユーザーがデジタル放送受信機を使用していて、放送方式が変更され、あるいは追加されて、処理ソフトウエアの変更を必要とする場合に、デジタル放送受信機を全て交換するのではなく、チューナーモジュール装置を増設するだけで安価に対応することができる。また、増設に伴う処理ソフトウエアの変更も自動的に行われるため、ユーザーに余計な負担がかからない。
【００８０】
また、本発明に係るデジタル放送受信機によれば、チューナーモジュール装置用の処理ソフトウエアをチューナーモジュール装置に保存することにより、同一ユーザーが別の機器にチューナーモジュール装置を接続した場合であっても、最新の処理ソフトウエアを実行することができる。また、処理ソフトウエアの権利保護にも役立つ。
【００８１】
また、本発明に係るデジタル放送受信機によれば、装着したチューナーモジュール装置用の処理ソフトウエアに対して、ソフトウエア変更動作を自動的に行うことにより、チューナーモジュール装置を増設した際におけるユーザーの操作を簡易化するとともに、確実にソフトウエアの変更を行うことができる。
【００８２】
また、本発明に係るデジタル放送受信機によれば、装着したチューナーモジュール装置用の処理ソフトウエアへの変更に際して、チューナーモジュール装置が装着されている間の一時的なものとするか、あるいはチューナーモジュール装置が取り外された後も残る恒久的なものとするかを、チューナーモジュール装置側から指定することにより、処理ソフトウエアの権利保護、およびデジタル放送受信機のソフトウエア管理に役立てることができる。
【００８３】
また、本発明に係るデジタル放送受信機によれば、チューナーモジュール装置を取り外した際にソフトウエア変更が必要であれば、自動的にソフトウエア変更を行うことにより、チューナーモジュール装置を取り外す際におけるユーザーの操作を簡易化するとともに、確実にソフトウエア変更を行うことができる。
【００８４】
本発明に係るチューナーモジュール装置によれば、デジタル放送における放送方式の追加などに安価に対応することができるとともに、ソフトウエア更新も簡易に行うことができる。
【図面の簡単な説明】
【図１】本発明の実施形態に係るチューナーモジュール装置を装着するためのスロットを備えたデジタル放送受信機およびチューナーモジュール装置の斜視図である。
【図２】本発明の実施形態に係るチューナーモジュール装置を接続するための接続端子を備えたデジタル放送受信機およびチューナーモジュール装置の斜視図である。
【図３】デジタル放送受信機およびチューナーモジュール装置の内部構成を示すブロック図である。
【図４】作業用メモリ内蔵型のチューナーモジュール装置の内部構成を示すブロック図である。
【図５】制御部内蔵型のチューナーモジュール装置の内部構成を示すブロック図である。
【図６】デジタル放送受信機におけるパワーオンまたはリセット時の処理手順を示すフローチャートである。
【図７】デジタル放送受信機に対してチューナーモジュール装置を装着した際の処理手順を示すフローチャートである。
【図８】デジタル放送受信機からチューナーモジュール装置を取り外した際の処理手順を示すフローチャートである。
【図９】バージョンアップソフトウエアの放送スケジュールを受信した場合の処理手順を示すフローチャートである。
【図１０】従来のデジタル放送受信機の斜視図である。
【図１１】従来のデジタル放送受信機の正面図である。
【図１２】従来のデジタル放送受信機の右側面図である。
【図１３】従来のデジタル放送受信機の内部構成を示すブロック図である。
【図１４】従来のデジタル放送受信機における処理ソフトウエアの更新処理の手順を示すフローチャートである。
【符号の説明】
１０１，２０１  デジタル放送受信機
１０２，２１０，２２０，２３０  チューナーモジュール装置
１０３  チューナーモジュール装置または増設端子
１０４  メモリカードスロット
１０５  外部信号入出力端子
２０２  制御部
２０３  不揮発性メモリ
２０４  ＲＡＭ
２０５  チューナー
２０６  接続部
２０７  デコーダー
２０８  出力端子
２１１，２２１，２３１  接続部
２１２，２２２，２３３  不揮発性メモリ
２１３，２２４，２３５  チューナー
２２３，２３４  ＲＡＭ
２３２  制御部
４０１  従来のデジタル放送受信機
４０２，５１０  従来のチューナーモジュール装置
４０３，５２０  メモリカード
５０１  受信機本体
５０２  ＲＡＭ
５０３  不揮発メモリ
５０４  ＲＡＭ
５０５，５１２  チューナー
５０６，５０７，５１１，５２１  接続部
【図１】
2004248052.tif 000003
【図２】
2004248052.tif 000004
【図３】
2004248052.tif 000005
【図４】
2004248052.tif 000006
【図５】
2004248052.tif 000007
【図６】
2004248052.tif 000008
【図７】
2004248052.tif 000009
【図８】
2004248052.tif 000010
【図９】
2004248052.tif 000011
【図１０】
2004248052.tif 000012
【図１１】
2004248052.tif 000013
【図１２】
2004248052.tif 000014
【図１３】
2004248052.tif 000015
【図１４】
2004248052.tif 000016